(57)【要約】【課題】購入後、購入者自身がレジャーやイベント会場その他作業現場等へ持ち運び、わずかな手間で簡単に組立てることによって実用的な流し台として使用できるとともに移動時には折り畳んで持ち運びに好適な一つの箱体に形状を変えることができる携帯用流し台を提供することである。【解決手段】持ち運ぶ場合には流し台箱体下面内部に回転自在な折り畳み式の脚と脱着式棚板を収納し、流し台箱体の上面及び下面に結合された開閉自在な上蓋及び下蓋を閉じることによって持ち運びに好適な一つの箱体になることを特徴とする。また流し台として使用する場合には開閉自在な上蓋を上方に下蓋を下方に開き、さらに流し台箱体下面内部に収納された前記折り畳み式の脚を下方に開くとともに同じく収納されていた脱着式棚板を取り出し折り畳み式脚の下部に装着することにより実用的な流し台になる。【選択図】　　　　図１
2004065802.tif 000002
【特許請求の範囲】
【請求項１】
流し台箱体下面内部にその流し台箱体を所要の高さに支持する為の回転自在な折り畳み式脚と流し台として使用する時にその折り畳み式脚の下部に装着される脱着式棚板を収納する収納室を形成しており、持ち運ぶ場合にはその収納室に前記折り畳み式脚を閉じ入れて脱着式棚板を収納するとともに流し台箱体の上面及び下面の後ろ側縁にそれぞれ開閉自在に結合された上蓋及び下蓋を閉じることによって持ち運びに好適な一つの箱体になるよう構成されていることを特徴とする携帯用流し台。
【請求項２】
上蓋が脱着できる請求項１記載の携帯用流し台。
【発明の詳細な説明】
【０００１】
【発明が属する技術分野】
本発明はレジャーやイベント会場その他作業現場等で使用される簡易式の携帯用流し台に関するものである。
【０００２】
【従来の技術】
従来レジャーやイベント会場その他作業現場等で使用される簡易式の流し台と言えば、流し台箱体とその流し台箱体を所要の高さに支持するための複数本の支持脚やねじ等に分解されており現場にてドライバー等の工具を用いて組み立てる組立式流し台等があった。（例えば、実公平１１−９６８６号公報参照）
【０００３】
【発明が解決しようとする課題】
従来の技術で述べたものにあっては、持ち運ぶ場合に複数の構成部材に分解することによる部材紛失の恐れがあることや組立時と分解時にドライバー等の工具を必要とし手間がかかるという問題点を有していた。
【０００４】
購入後、購入者自身がレジャーやイベント会場その他作業現場等へ持ち運び、わずかな手間で簡単に組立てることによって実用的な流し台として使用できるとともに移動時には折り畳んで持ち運びに好適な一つの箱体に形状を変えることができる携帯用流し台を提供することである。
【０００５】
【課題を解決するための手段】
上記目的を達成するために、本発明は下記のようになるものである。流し台箱体下面内部にその流し台箱体を所要の高さに支持する為の回転自在な折り畳み式脚と流し台として使用する場合にその折り畳み式脚の下部に装着される脱着式棚板を収納する収納室を形成しており、持ち運ぶ場合にはその収納室に回転自在な前記折り畳み式脚を閉じ入れ、脱着式棚板を折り畳み式脚の下部から分離して同じく前記収納室に収納し、流し台箱体の上面及び下面の後ろ側縁にそれぞれ開閉自在に結合された上蓋及び下蓋を閉じることによって持ち運びに好適な一つの箱体になることを特徴としている。流し台として使用する場合には開閉自在な上蓋を上方に下蓋を下方に開き、さらに前記収納室に収納された回転自在な折り畳み式脚を下方に開くとともに収納されていた脱着式棚板を取り出しその折り畳み式脚の下部に装着することにより実用的な流し台になる。すなわち持ち運ぶ場合と流し台として使用する場合、それぞれに適した形状に少ない手間で簡単に折り畳み及び組立ができる。また前記する流し台は上蓋を脱着できるタイプを包含する。
【０００６】
【発明の実施の形態】
以下、本発明の実施の形態を実施例にもとづき図面を参照して説明する。図１、図２、図３及び図４は本発明に関わる携帯用流し台の実施例を説明するものであってこのうち図１（ａ）は組み立てた状態における正面図のＢ−Ｂ線断面図、図１（ｂ）は同側面図のＡ−Ａ線断面図である。図２は携帯用流し台を持ち運ぶ場合に折り畳んで一つの箱体にした状態の斜視図、図３は携帯用流し台を流し台として使用する場合に組み立てた状態の斜視図であり、図４は携帯用流し台を持ち運ぶ場合に折り畳んで一つの箱体にした状態の断面図である。
【０００７】
図１に示す流し台は携帯用流し台であって主に流し台箱体１、上蓋２、下蓋３、折り畳み式脚７、脱着式棚板８から構成されている。
【０００８】
流し台箱体１は上面にシンク６を具備しており、さらにその上面後ろ側縁には丁番１０を介して開閉自在な上蓋２が結合されている。この上蓋２は折り畳む場合にシンク６を隠すという目的の為に閉じるとともに流し台箱体１と上蓋２のそれぞれの前面に具備されたパチン錠４を施錠することによって閉じた状態から上方に開かないようになる。
【０００９】
上蓋２は組み立てる場合に前記パチン錠４を開錠することにより閉じた状態から上方に開くことができるが流し台箱体１の上面と上蓋２の端部を結んで設置された開き止め金具１３の作用により適度な角度で固定される。
【００１０】
流し台箱体１は下面内部が開放構造になっており、回転自在な折り畳み式脚７と脱着式棚板８が収納可能な脚及び棚収納室１４を形成しているとともにその下面後ろ側縁には丁番１０を介して開閉自在な下蓋３が結合され、この下蓋３を閉じることによって前記脚及び棚収納室１４は密閉される。さらに流し台箱体１と下蓋３のそれぞれの前面にはパチン錠４が具備されており、折り畳む場合はこれを施錠することによって下蓋３が閉じた状態から下方に開かないようになる。
【００１１】
流し台箱体１の前面には取手５が具備されており、折り畳んで持ち運ぶ場合に使用する。
【００１２】
４本の回転自在な折り畳み式脚７の下部は左右各２本ずつが剛性を得る為に脚連結部材９によって前後連結されており、その左右それぞれが上端部分で流し台箱体１の内側右側面と内側左側面に設置された回転軸固定金具１１に回転軸１２を介して回転自在に連結されている。
【００１３】
折り畳み式脚７は左右それぞれが上端部分で回転軸１２を中心として上下方向に回転することが可能で、折り畳む場合には回転軸１２を中心に回転し脚及び棚収納室１４に閉じ込まれ収納される。また組み立てる場合には左右それぞれが回転軸１２を中心として下方向に回転し開くことによって流し台箱体１を所要の高さに支持することができる。
【００１４】
脱着式棚板８は左右に脚連結部材９をはめ込む為の切り欠き１５が設けられており、組み立てる場合には左右の折り畳み式脚７をそれぞれを下方向に開いてその下部にある前記脚連結部材９に脱着式棚板８をはめ込んで載せる。こうすることにより脱着式棚板８は物をのせる棚としての役割の他に折り畳み式脚７の左右方向の開き止めの役割も果たす。
【００１５】
【発明の効果】
本発明は上述の通り構成されているので次に記載する効果を奏する。
Ａ．ドライバー等の工具を一切使わないのでわずかな手間で簡単に組立及び折り畳みができる。
Ｂ．折り畳むことにより一つの箱体になるため持ち運びに好適である。
【図面の簡単な説明】
【図１】（ａ）組み立てた状態における正面図のＢ−Ｂ線断面図である。
（ｂ）　組み立てた状態における側面図のＡ−Ａ線断面図である。
【図２】図１実施例の携帯用流し台を折り畳んだときの斜視図である。
【図３】図１実施例の携帯用流し台を組み立てたときの斜視図である。
【図４】図１実施例の携帯用流し台を折り畳んだときの断面図である。
【符号の説明】
１．流し台箱体
２．上蓋
３．下蓋
４．パチン錠
５．取手
６．シンク
７．折り畳み脚
８．脱着式棚板
９．脚連結部材
１０．丁番
１１．回転軸固定金具
１２．回転軸
１３．開き止め金具
１４．脚及び棚収納室
１５．切り欠き
【図１】
2004065802.tif 000003
【図２】
2004065802.tif 000004
【図３】
2004065802.tif 000005
【図４】
2004065802.tif 000006